(57)【要約】【課題】草刈機の切断片が樹木又はその他堅い物に当たり、間違って切断して樹木が傷ついたり枯れたりしてしまうことを防ぐとともに、切断片が損壊することも防いで実用的な草刈機防護装置を提供する。【解決手段】草刈機防護装置は、防護部材２を備える。防護部材２は、内フレーム２１を有する。内フレーム２１は、背負い式草刈機１のギヤボックス１１の外端に取付けられる。内フレーム２１の外側には、外フレーム２２が配設される。内フレーム２１と外フレーム２２との間隔は、背負い式草刈機１の切断片の長さより大きい上、内フレーム２１と外フレーム２２との間には支持部材２３が接続されている。支持部材２３は弾性を有する。背負い式草刈機１のギヤボックス１１の底端に組み合わされるとともに、内フレーム２１の取付け部２１１に設けた位置決め部材２１２を介し、防護部材２と組み合わせて固定する固定ベース２４をさらに備える。【選択図】図１
0003197499.tif 000002
【実用新案登録請求の範囲】
【請求項１】
防護部材を備える草刈機防護装置であって、
前記防護部材は、内フレームを有し、
前記内フレームは、背負い式草刈機のギヤボックスの外端に取付けられ、前記内フレームの外側には、外フレームが配設され、
前記内フレームと前記外フレームとの間隔は、前記背負い式草刈機の切断片の長さより大きい上、前記内フレームと前記外フレームとの間には支持部材が接続されていることを特徴とする、
草刈機防護装置。
【請求項２】
前記支持部材は弾性を有することを特徴とする請求項１に記載の草刈機防護装置。
【請求項３】
前記背負い式草刈機の前記ギヤボックスの底端に組み合わされるとともに、前記内フレームの取付け部に設けた位置決め部材を介し、前記防護部材と組み合わせて固定する固定ベースをさらに備えることを特徴とする請求項１に記載の草刈機防護装置。
【請求項４】
固定部材、調整部材及び複数の締結部材をさらに備え、前記固定部材は、固定板及び位置決め板を有し、前記固定板と前記位置決め板とが接続されるとともに前記固定板と前記位置決め板との間に夾角が形成され、前記位置決め板の中間には、開口部が形成され、前記開口部の両側には、組立部が設けられ、前記２つの組立部上には、スライド溝が形成され、前記固定板の両側には、締結孔がそれぞれ形成され、前記背負い式草刈機の前記ギヤボックスには、傾いて設置された操作杆が接続され、前記操作杆上には、スライドブロックが取付けられ、前記スライドブロック上には、前記固定板の両側に形成された前記締結孔に対応した締結孔が形成され、前記調整部材には、両側案内板が成形され、前記両側案内板の一端には、組立片がそれぞれ設けられ、前記固定部材の前記位置決め板の前記２つの組立部は互いに当接され、前記組立片上には、締結孔が形成され、該締結孔は、前記固定部材の前記位置決め板の前記２つの組立部上の前記スライド溝に対応し、前記両側案内板間は、連結板により連結され、前記両側案内板と前記連結板との間には、開放区間が形成され、前記背負い式草刈機の前記ギヤボックスは、前記開放区間中に位置し、前記両側案内板及び前記連結板の何れか１つに締結孔が形成され、前記防護部材の前記内フレームには、取付け部が設けられ、前記取付け部上には、締結孔が形成され、前記調整部材は、前記両側案内板及び前記連結板の何れか１つの締結孔に配置され、前記複数の締結部材は、前記固定部材の両側の前記締結孔と、前記背負い式草刈機の前記操作杆上の前記スライドブロックの前記締結孔と、前記固定部材の前記位置決め板の前記２つの組立部上に形成されたスライド溝と、前記調整部材の前記両側案内板の前記組立片上の前記締結孔とにそれぞれ挿着され、前記調整部材の前記両側案内板及び前記連結板の何れか１つに形成された締結孔と、前記防護部材の前記取付け部上の前記締結孔とに位置することを特徴とする請求項１に記載の草刈機防護装置。
【請求項５】
前記固定部材の前記固定板と、前記位置決め板との間に形成される夾角は、前記背負い式草刈機の前記ギヤボックスと、前記ギヤボックスと接続された前記操作杆との間に形成される夾角に対応することを特徴とする請求項４に記載の草刈機防護装置。
【考案の詳細な説明】
【技術分野】
【０００１】
本考案は、草刈機防護装置に関し、特に、草刈機の切断片が樹木又はその他堅い物に当たって切断し、樹木が傷ついたり枯れたりしてしまうことを防ぐとともに、切断片が損壊することを防ぐ、実用的な草刈機防護装置を提供する。
【背景技術】
【０００２】
人類は昔から生活に緑を取り入れ、自然な環境に近づけるために、公園、学校、ゴルフ場などに様々な種類の樹木や芝生が植えられている。芝生の草は時間とともに徐々に成長するため、一定時間が経過すると草刈りの必要があった。これら芝生の草を刈るためには、面積が大きいため、各種草刈機により行うことが一般的であった。
【０００３】
草刈機は、背負い式、手押し式、乗用式などに分けられる。このうち背負い式の草刈機は、手持ち式装置であり、主にエンジンを動力源として用い、エンジンが稼働するときに伝動部材を介して回転動力を連杆前端の回転盤まで伝え、回転盤上に取付けられた刃、草刈用紐などの切断片を高速で回転させて草刈作業を行う。
【０００４】
背負い式草刈機は、草刈りという期待される効果を得ることができるが、実際に使用すると分かる通り、刃、草刈用紐など何らかの切断片を利用して草刈りを行う際、切断片が外部に露呈され、防護設計が切断片に何ら施されていない。そのため、背負い式草刈機で樹木周辺で草刈りを行う際、切断片により樹木の表皮が直接切削され、樹木を傷つけたり枯れさせたりする虞がある。また、背負い式草刈機を堅い物（例えば、壁、石など）の周囲へ移動させて草刈りを行う場合、切断片が堅い物に直接当たり、切断片を損壊させることがある。このため、その構造には改善の余地があった。
【考案の概要】
【考案が解決しようとする課題】
【０００５】
本考案の目的は、背負い式草刈機に対応したギヤボックスが防護装置を有し、防護装置の内フレームと外フレームとの間隔が切断片の長さより大きいため、切断片が樹木又はその他堅い物に当たって切断し、樹木が傷ついたり枯れたりしてしまうことを防ぐとともに、切断片が損壊することを防ぐ、実用的な草刈機防護装置を提供することにある。
本考案のもう一つの目的は、雑草の高さに応じて防護部材と切断片との間の高さを調整することができる、草刈機防護装置を提供することにある。
【課題を解決するための手段】
【０００６】
上記課題を解決するために、本考案の第１の形態によれば、防護部材を備える草刈機防護装置であって、前記防護部材は、内フレームを有し、前記内フレームは、背負い式草刈機のギヤボックスの外端に取付けられ、前記内フレームの外側には、外フレームが配設され、前記内フレームと前記外フレームとの間隔は、前記背負い式草刈機の切断片の長さより大きい上、前記内フレームと前記外フレームとの間には支持部材が接続されていることを特徴とする草刈機防護装置が提供される。
【０００７】
前記支持部材は弾性を有することが好ましい。
【０００８】
前記背負い式草刈機の前記ギヤボックスの底端に組み合わされるとともに、前記内フレームの取付け部に設けた位置決め部材を介し、前記防護部材と組み合わせて固定する固定ベースをさらに備えることが好ましい。
【０００９】
固定部材、調整部材及び複数の締結部材をさらに備え、前記固定部材は、固定板及び位置決め板を有し、前記固定板と前記位置決め板とが接続されるとともに前記固定板と前記位置決め板との間に夾角が形成され、前記位置決め板の中間には、開口部が形成され、前記開口部の両側には、組立部が設けられ、前記２つの組立部上には、スライド溝が形成され、前記固定板の両側には、締結孔がそれぞれ形成され、前記背負い式草刈機の前記ギヤボックスには、傾いて設置された操作杆が接続され、前記操作杆上には、スライドブロックが取付けられ、前記スライドブロック上には、前記固定板の両側に形成された前記締結孔に対応した締結孔が形成され、前記調整部材には、両側案内板が成形され、前記両側案内板の一端には、組立片がそれぞれ設けられ、前記固定部材の前記位置決め板の前記２つの組立部は互いに当接され、前記組立片上には、締結孔が形成され、前記締結孔は、前記固定部材の前記位置決め板の前記２つの組立部上の前記スライド溝に対応し、前記両側案内板間は、連結板により連結され、前記２つの案内板と前記連結板との間には、開放区間が形成され、前記背負い式草刈機の前記ギヤボックスは、前記開放区間中に位置し、前記両側案内板及び前記連結板の何れか１つに締結孔が形成され、前記防護部材の前記内フレームには、取付け部が設けられ、前記取付け部上には、締結孔が形成され、前記調整部材は、前記両側案内板及び前記連結板の何れか１つの締結孔に配置され、前記複数の締結部材は、前記固定部材の前記両側締結孔と、前記背負い式草刈機の前記操作杆上の前記スライドブロックの前記締結孔と、前記固定部材の前記位置決め板の前記２つの組立部上に形成されたスライド溝と、前記調整部材の前記両側案内板の前記組立片上の前記締結孔とにそれぞれ挿着され、前記調整部材の前記両側案内板及び前記連結板の何れか１つに形成された締結孔と、前記防護部材の前記取付け部上の前記締結孔とに位置することが好ましい。
【００１０】
前記固定部材の前記固定板と、前記位置決め板との間に形成される夾角は、前記背負い式草刈機の前記ギヤボックスと、前記ギヤボックスと接続された前記操作杆との間に形成される夾角に対応することが好ましい。
【図面の簡単な説明】
【００１１】
【図１】本考案の一実施形態に係る草刈機防護装置を示す分解斜視図である。
【図２】本考案の一実施形態に係る草刈機防護装置を示す斜視図である。
【図３】本考案の一実施形態に係る草刈機防護装置を示す平面図である。
【図４】本考案の一実施形態に係る草刈機防護装置を示す部分断面図である。
【図５】本考案の一実施形態に係る草刈機防護装置の使用状態の説明図である。
【図６】本考案の一実施形態に係る草刈機防護装置を示す分解斜視図である。
【図７】本考案の一実施形態に係る草刈機防護装置を示す斜視図である。
【図８】本考案の一実施形態に係る草刈機防護装置を示す側面図である。
【図９】本考案の一実施形態に係る草刈機防護装置の調整状態を示す斜視図である。
【図１０】本考案の一実施形態に係る草刈機防護装置の調整状態を示す側面図である。
【考案を実施するための形態】
【００１２】
以下、本考案の実施形態について図に基づいて説明する。なお、これによって本考案が限定されるものではない。
【００１３】
まず、図１〜図４を参照する。図１〜図４に示すように、本考案の一実施形態に係る草刈機防護装置の背負い式草刈機１は、ギヤボックス１１を有する。ギヤボックス１１内には、刃又は草刈用紐の切断片１２を有する回転盤が枢着されている。ギヤボックス１１上には、防護部材２が取付けられている。
【００１４】
防護部材２には、内フレーム２１が設けられている。内フレーム２１は、背負い式草刈機１のギヤボックス１１の外端に取付けられている。内フレーム２１の外側には、外フレーム２２が設けられている。内フレーム２１と外フレーム２２との間隔は、背負い式草刈機１の切断片１２の長さより大きく、内フレーム２１と外フレーム２２との間には支持部材２３が接続されている。
支持部材２３は、弾性を有する円形フレーム体であり、設置されると外フレーム２２が圧縮弾性を得る。背負い式草刈機１のギヤボックス１１には、固定ベース２４が取付けられている。固定ベース２４は、背負い式草刈機１のギヤボックス１１の底端に組み合わされるとともに、位置決め部材２１２の内フレーム２１に設けられた取付け部２１１により、防護部材２と固定ベース２４とを組み合わせて固定される。
【００１５】
図５を参照する。図５は、本考案の一実施形態に係る草刈機防護装置の使用状態の説明図である。図５に示すように、本実施形態を実際に操作して使用する際、背負い式草刈機１により切断片１２を駆動して草刈りを行う際、樹木又はその他堅い物に接近した際、背負い式草刈機１のギヤボックス１１に防護部材２が取付けられ、防護部材２の内フレーム２１と外フレーム２２との間隔が切断片１２の長さより大きいため、樹木又はその他堅い物に当たる際、防護部材２の外フレーム２２が先に接触されるため、切断片１２は樹木又はその他堅い物に接触せず、防護効果を得ることができる。
【００１６】
防護部材２の内フレーム２１と外フレーム２２との間には支持部材２３が接続され、かつ、支持部材２３は弾性を有するように設計され、これにより外フレーム２２が樹木又はその他堅い物に接触されると、支持部材２３が有する圧縮弾性により外フレーム２２が変形したり損壊したりすることを防ぐことができる。
【００１７】
本考案の草刈機防護装置を使用して高い草を刈るときには、防護部材２が切断片１２に近接した箇所にある場合、防護部材２が長めの草の底側の茎の硬めの部位に押し当てられると、隣り合う高めの草が後方へ倒れて重なり、背負い式草刈機１は、前方へ押し動かすことが困難となり、切断片１２が雑草を刈ることが困難となる。これに鑑み、本考案は防護部材２の高さを調整することができる構造となっている。
図６〜図８を参照する。図６〜図８に示すように、本考案の他の実施形態に係る草刈機防護装置は、固定部材３及び調整部材４を有し、調整部材４と固定部材３とを組み合わせ、締結部材５により防護部材２、固定部材３、調整部材４間を螺着する。
【００１８】
固定部材３は、固定板３１及び位置決め板３２を有する。固定板３１と位置決め板３２とは一体化され、固定板３１と位置決め板３２との間に形成される夾角θは約６０度であり、背負い式草刈機１のギヤボックス１１と、ギヤボックス１１に接続された操作杆１３との間に形成される夾角に対応し、位置決め板３２の中間には開口部３２１が形成される。開口部３２１の両側には、組立部３２２が設けられている。２つの組立部３２２上には、スライド溝３２３が形成されている。固定板３１の両側には、締結孔３１１がそれぞれ形成されている。
【００１９】
調整部材４は、両側案内板４１を含む。両側案内板４１の一端には、９０度に折り曲げられた組立片４１１がそれぞれ設けられている。組立片４１１には、固定部材３の位置決め板３２の組立部３２２が当接される。組立片４１１上には、締結孔４１２が形成され、固定部材３の位置決め板３２の２つの組立部３２２上のスライド溝３２３に対応し、両側案内板４１間に連結板４２が接続され、２つの案内板４１と連結板４２との間には、開放区間４３が形成されている。開放区間４３中には、背負い式草刈機１のギヤボックス１１が位置し、両側案内板４１及び連結板４２の何れか１つの適宜な箇所には、締結孔４４が形成されている。調整部材４は、両側案内板４１及び連結板４２の何れか１つの締結孔４４に位置する。締結孔４４は、防護部材２の内フレーム２１の取付け部２１１上の締結孔２１３にそれぞれ対応する。
【００２０】
締結部材５の個数は複数であり、固定部材３の固定板３１の両側の締結孔３１１が、背負い式草刈機１の操作杆１３上のスライドブロック１４の締結孔１４１に摺動可能に取付けられ、締結部材５が挿設され、固定部材３の位置決め板３２の２つの組立部３２２上のスライド溝３２３と、調整部材４の両側案内板４１の組立片４１１上の締結孔４１２とに締結部材５を挿通し、調整部材４上を両側案内板４１及び連結板４２の何れか１つの締結孔４４と、防護部材２の内フレーム２１の取付け部２１１上に形成した締結孔２１３とに締結部材５を挿通する。
【００２１】
上述した構成により、背負い式草刈機１の切断片１２により高めの草を刈る際、利用者は、切断片１２の高い位置まで防護部材２を調整すると、高めの草の底側にある硬めの茎の部位に当接することを防ぐことができる。
利用者が防護部材２の高さを調整する際、図９及び図１０を併せて参照すると分かるように、固定部材３の位置決め板３２の２つの組立部３２２上に形成されたスライド溝３２３と、調整部材４の両側案内板４１の組立片４１１上に形成された締結孔４１２との螺着が外れ、固定部材３に対して調整部材４を可動自在に変位させ、調整部材４に螺着された防護部材２を背負い式草刈機１のギヤボックス１１に沿って軸方向で上方へ移動させ、防護部材２を適宜な高さに調整すると、固定部材３の位置決め板３２上の締結部材５に調整部材４が螺着されて位置が固定される。これにより、高めの草を刈り取る際、防護部材２が高めの草の上側の葉と、柔らかい茎部とに当接され、背負い式草刈機１の切断片１２により、高めの草の底側の硬い茎の部位を切断し、長めの草を刈り取ることができる。また、低めの草を刈るときは、防護部材２が接触される箇所が低めの草の上側葉及び柔らかい茎部分であるため、防護部材２を高めに調整しなくとも、低めの草をスムーズに刈ることができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１      背負い式草刈機
２      防護部材
３      固定部材
４      調整部材
５      締結部材
１１    ギヤボックス
１２    切断片
１３    操作杆
１４    スライドブロック
２１    内フレーム
２２    外フレーム
２３    支持部材
２４    固定ベース
３１    固定板
３２    位置決め板
４１    両側案内板
４２    連結板
４３    開放区間
４４    締結孔
１４１  締結孔
２１１  取付け部
２１２  位置決め部材
２１３  締結孔
３１１  締結孔
３２１  開口部
３２２  組立部
３２３  スライド溝
４１１  組立片
４１２  締結孔
【図１】
0003197499.tif 000003
【図２】
0003197499.tif 000004
【図３】
0003197499.tif 000005
【図４】
0003197499.tif 000006
【図５】
0003197499.tif 000007
【図６】
0003197499.tif 000008
【図７】
0003197499.tif 000009
【図８】
0003197499.tif 000010
【図９】
0003197499.tif 000011
【図１０】
0003197499.tif 000012